(57)【要約】【課題】入賞した遊技球を遊技者が容易に視認できるようにする。【解決手段】遊技盤に対して取り付けられ、遊技盤の手前側と奥側とを連通させる開口部５４を有する基板部材５０と、基板部材５０に対して設けられ閉位置と開位置との間を回動変位可能な左右一対の羽根片６０ａ，６０ｂと、遊技盤よりも手前側に位置し遊技盤とほぼ平行な板状をなし、各羽根片６０ａ，６０ｂを回動変位可能に支持するための一対の回動軸７２が支持される前板部７１とを有し、羽根片６０ａ，６０ｂの間に入賞した遊技球が開口部５４に到るまでの通路７５のうちの少なくとも手前側の端部が、前板部７１の上縁部と同一の高さ又はそれよりも高い位置に位置する。通路７５のうちの左側通路７７ａ，右側通路７７ｂは（ほぼ）水平であり、中央通路７６の奥側の端部は前板部７１の上縁部と（ほぼ）同一の高さ又はそれよりも高い位置に位置する。【選択図】図２Ｂ
2008229047.tif 000002
【特許請求の範囲】
【請求項１】
弾球遊技機の遊技盤に設けられる入賞装置であって、
前記遊技盤に対して取り付けられ、前記遊技盤の手前側と奥側とを連通させる連通孔を有する基板部材と、
前記基板部材に対して設けられ、相互に近接する閉位置と相互に離隔する開位置との間を回動変位可能な左右一対の羽根片と、
前記遊技盤よりも手前側に位置し前記遊技盤とほぼ平行な板状をなし、前記各羽根片を回動変位可能に支持するための一対の支持軸が支持される前板とを有し、
前記左右一対の羽根片の間に入賞した遊技球が前記連通孔に到るまでの通路のうちの少なくとも手前側の端部が、前記前板の上縁部と同一の高さ又は当該上縁部よりも高い位置に位置するものである、
弾球遊技機の入賞装置。
【請求項２】
請求項１に記載の弾球遊技機の入賞装置であって、
前記通路又はその幅方向における一部は、その手前側の端部から奥側の端部にかけて水平又はほぼ水平である、
弾球遊技機の入賞装置。
【請求項３】
請求項１又は請求項２に記載の弾球遊技機の入賞装置であって、
前記通路又はその幅方向における一部の奥側の端部は、前記前板の上縁部と同一若しくはほぼ同一の高さ又は当該上縁部よりも高い位置に位置するものである、
弾球遊技機の入賞装置。
【発明の詳細な説明】
【技術分野】
【０００１】
本発明は、パチンコ機等の弾球遊技機の入賞装置に関するものである。
【背景技術】
【０００２】
パチンコ機（弾球遊技機）は遊技盤を有し、遊技盤には入賞装置が設けられている。
入賞装置の１つのタイプとして、左右一対の羽根片が回動変位可能に設けられているものがある（いわゆる「チューリップ」である）。各羽根片は、回動軸を基準にほぼ上方に向かう閉位置と、回動軸を基準に相互に離隔するように斜め上方又は側方等に向かう開位置との間を回動（変位）する。
そして、入賞装置が閉状態（各羽根片が閉位置に位置する状態）の際には、パチンコ球が入賞することは困難又は不可能で、入賞装置が開状態（各羽根片が開位置に位置する状態）の際には、パチンコ球が容易に入賞する。
【０００３】
従来の入賞装置の一例として、特許文献１に開示されているものがある。
その入賞装置は、遊技盤に対して密着するように取り付けられる基板部材（取付ベース）と、左右一対の羽根片（開閉翼片）と、各羽根片を回動可能に支持する支持軸（支持ピン）を支持する前板（前面カバー）とを有している。
【０００４】
そして、特に近年においては、特許文献１に開示されているもののように、前板が大きくされ、その前板に種々の装飾が施されて、遊技者に興趣を与えるようにされている。
しかしながら、前板が大きくされると、その分、遊技球を視認することが困難となる。
すなわち、特に上述のタイプの入賞装置（すなわち、いわゆる「チューリップ」）は、左右一対の羽根片の間に遊技球が入賞していくところに最も本来的な興趣があるのであるが、前板が大きいと（正確には高さが高いと）、遊技球が左右一対の羽根片の間のうちの上方の部分に入った後は、その遊技球は、その前板の背後に隠れ、遊技者は、その遊技球のその後の行方（すなわち、遊技盤の裏側へ流出していくまでの過程）を視認することができない。
このため、上述のタイプの従来の入賞装置では、その最も本来的な興趣を遊技者に対して与えることができない。
【特許文献１】特開２００５−４０３３６公報
【発明の開示】
【発明が解決しようとする課題】
【０００５】
本発明は、入賞した遊技球を遊技者が容易に視認することが可能であり、それによって遊技者に興趣を与えることができる入賞装置を提供することを目的とする。
【課題を解決するための手段】
【０００６】
上記の目的を達成するために、請求項１に係る発明は、弾球遊技機の遊技盤に設けられる入賞装置であって、前記遊技盤に対して取り付けられ、前記遊技盤の手前側と奥側とを連通させる連通孔を有する基板部材と、前記基板部材に対して設けられ、相互に近接する閉位置と相互に離隔する開位置との間を回動変位可能な左右一対の羽根片と、前記遊技盤よりも手前側に位置し前記遊技盤とほぼ平行な板状をなし、前記各羽根片を回動変位可能に支持するための一対の支持軸が支持される前板とを有し、前記左右一対の羽根片の間に入賞した遊技球が前記連通孔に到るまでの通路のうちの少なくとも手前側の端部が、前記前板の上縁部と同一の高さ又は当該上縁部よりも高い位置に位置するものである、弾球遊技機の入賞装置である。
【０００７】
なお、「一対の支持軸が支持される」には、支持軸が前板と一体的に形成されている態様や、支持軸の手前側の端部が前板に対して連結等されている態様がある。
【０００８】
この発明の弾球遊技機の入賞装置では、通路のうちの少なくとも手前側の端部が、前板の上縁部と同一の高さ又は当該上縁部よりも高い位置に位置するため、遊技者（通路（そのうちの手前側の端部）上の遊技球と同一高さに視線があるとする）は、少なくとも、遊技球が入賞して通路に到達した際の遊技球の高さ方向における全体又はほぼ全体を視認することができる。
このため、この入賞装置では、遊技球の入賞という入賞装置としての本来的な機能について、遊技者に対して大きな興趣を与えることができるのである。
【０００９】
請求項２に係る発明は、請求項１に係る発明の弾球遊技機の入賞装置であって、前記通路又はその幅方向における一部は、その手前側の端部から奥側の端部にかけて水平又はほぼ水平である、弾球遊技機の入賞装置である。
【００１０】
この発明の弾球遊技機の入賞装置では、請求項１に係る発明の弾球遊技機の入賞装置の作用及び効果に加えて、次の作用及び効果が得られる。
すなわち、この発明の弾球遊技機の入賞装置においては、通路又はその幅方向における一部が、その手前側の端部から奥側の端部にかけて水平又はほぼ水平である。このため、遊技球が通路に到達した際のみに限らず、その後において通路（又はそのうちの当該一部）を転動する際にも、遊技者は、その遊技球の高さ方向における全体又はほぼ全体を視認することができる。
すなわち、この発明の入賞装置では、遊技者は、入賞装置に対する入賞の際に引き続き、遊技球が入賞装置内の転動して連通孔に到る際においても、その遊技球を十分に視認することが可能であり、その点でも遊技者に対して大きな興趣を与えることができるのである。
【００１１】
請求項３に係る発明は、請求項１又は請求項２に係る発明の弾球遊技機の入賞装置であって、前記通路又はその幅方向における一部の奥側の端部は、前記前板の上縁部と同一若しくはほぼ同一の高さ又は当該上縁部よりも高い位置に位置するものである、弾球遊技機の入賞装置である。
【００１２】
この発明のうち請求項２に係る発明に従属する発明においては、「その幅方向における一部」は、請求項２に係る発明における「その幅方向における一部」と同一であってもよいし、異なっていてもよい。
【００１３】
この発明の弾球遊技機の入賞装置では、請求項２に係る発明の弾球遊技機の入賞装置の作用及び効果に加えて、次の作用及び効果が得られる。
すなわち、この発明の弾球遊技機の入賞装置においては、通路又はその幅方向における一部の奥側の端部が、前板の上縁部と同一若しくはほぼ同一の高さ又は当該上縁部よりも高い位置に位置する。このため、遊技球が通路に到達した際のみに限らず、その後において通路又はそのうちの当該一部（その奥側の端部）から連通孔に到る際にも、一般的に、遊技者は、その遊技球の高さ方向における全体又はほぼ全体を視認することができる。
すなわち、この発明の入賞装置では、遊技者は、入賞装置に対する入賞の際に引き続き、遊技球が入賞装置内の転動して連通孔に到る際においても、一般的に、その遊技球を十分に視認することが可能であり、その点でも遊技者に対して大きな興趣を与えることができるのである。
【発明の効果】
【００１４】
以上のように、本発明の弾球遊技機の入賞装置では、遊技者は、入賞した遊技球を容易に視認することができ、遊技球の入賞という入賞装置としての本来的な機能の点で、遊技者に対して大きな興趣を与えることができるのである。
【発明を実施するための最良の形態】
【００１５】
次に、本発明の一実施形態について図面に基づいて説明する。
図１に示すように、このパチンコ機（弾球遊技機）はほぼ鉛直な遊技盤１０を有し、その下方には、ハンドル１２や賞球払い出し装置（図示省略）が設けられている。
ハンドル１２は、パチンコ球（遊技球）の発射操作をするものであり、賞球払い出し装置は、各入賞口（後述）にパチンコ球が入賞した場合にパチンコ球を賞球として払い出すものである。
【００１６】
遊技盤１０には、外側レール１５及び内側レール１６が設けられており、内側レール１６の内側が遊技領域（符号省略）とされ、外側レール１５と内側レール１６の間の部分が、発射された直後のパチンコ球が通る通路（符号省略）とされている。
そして、遊技者がハンドル１２を操作することによって発射されたパチンコ球は、通路を通り、遊技領域へと導かれる。
【００１７】
遊技盤１０（遊技領域）には、多数の釘（図示省略）や風車２８が設けられているとともに、複数の普通入賞口２０が設けられている。普通入賞口２０にパチンコ球が入った場合には、例えば６又は１３個のパチンコ球が賞球として賞球払い出し装置から払い出される。
【００１８】
遊技盤１０のほぼ中央にはセンター役物３０が設けられている。センター役物３０の下方には始動入賞装置４０が設けられ、その下方には大入賞口２２が設けられている。
センター役物３０には、表示部３２が設けられている。表示部３２は液晶等によって構成され、種々の図柄が表示される。
【００１９】
始動入賞装置４０にパチンコ球が入る（入賞する）と、センター役物３０の表示部３２における図柄が所定の時間変動表示され、その後、最終的な図柄が静止表示される。静止表示された図柄には「当たり」と「はずれ」がある。
「当たり」の場合（例えば「７７７」）には、大入賞口２２が所定の回数開くようにされている。例えば、１６回開き、１回当たり１０個のパチンコ球が入るまで開いたままとなる。そして、大入賞口２２に対する１個のパチンコ球の入賞に対して、１５個のパチンコ球が賞球として賞球払い出し装置から払い出される。
上述の始動入賞装置４０に入賞した後の一連の動作（センター役物３０の変動表示，静止表示，「当たり」の場合の大入賞口２２の開閉，賞球の払い出し）のことをセンター役物３０が遊技者に与える特別な利益ということとする。
始動入賞装置４０に複数個のパチンコ球が入賞した際には、入賞したパチンコ球の数の分だけ、上述のセンター役物３０による特別な利益が遊技者に与えられる。
【００２０】
図２Ａ及び図２Ｂに示すように、始動入賞装置４０は開閉可能である。すなわち、始動入賞装置４０は、閉状態（図２Ａ）と開状態（図２Ｂ）との間を変位可能である。
始動入賞装置４０は、通常は閉状態（図２Ａ）にあり、所定の条件が満たされた場合には、所定の時間の間（例えば０．５秒の間）、開状態（図２Ｂ）となる。
始動入賞装置４０が閉状態にある場合は、パチンコ球が入賞するのは不可能であるが、始動入賞装置４０が開状態にある場合は、パチンコ球は入賞することが可能である。
【００２１】
次に、始動入賞装置４０について詳細に説明する。
図３に示すように、始動入賞装置（以下、単に入賞装置という）４０は、基板部材５０，左右一対の羽根片６０ａ，６０ｂ，前板部材７０を有している。
なお、始動入賞装置４０の上部には、上部入賞口４５が伴っている。しかしながら、上部入賞口４５は、本発明としては付随的なものであるため、その説明は省略するとともに、両羽根片６０ａ，６０ｂ間にパチンコ球（遊技球）が入ることを入賞装置４０への入賞ということとする。
【００２２】
基板部材５０は、遊技盤１０（そのおもて面）（図１）に対して、ビス５９（図３）によって固定される。
基板部材５０には、開口部５４（連通孔），左右一対のビス孔５２，ストッパ形成突起部５６が形成されている。
開口部５４において、遊技盤１０の手前側（正確には、その空間）と奥側（正確には、その空間）とが連通している。
【００２３】
各羽根片６０ａ，６０ｂは、嵌合孔６２，被作用部６５，当接部６７を有している。
嵌合孔６２は、このパチンコ機の奥行方向に延びている。
被作用部６５は、軸状をなし、羽根片６０ａ，６０ｂ（そのうちの奥側の面）からこのパチンコ機の奥側に向かって延びている。
【００２４】
前板部材７０は、前板部７１（前板），左右一対の回動軸７２（支持軸），通路形成部７４を有している。
各回動軸７２は、各羽根片６０ａ，６０ｂの嵌合孔６２に対して相対的に回動可能（摺動可能）に嵌合され、基板部材５０の裏側（奥側）から各ビス孔５２を通して螺合されるビス７９によって、基板部材５０に対して固定されている。
こうして、図２に示すように、各羽根片６０ａ，６０ｂは、基板部材５０に対して、各回動軸７２を中心として閉位置（図２Ａ）と開位置（図２Ｂ）との間を回動変位可能に取り付けられているのである。
【００２５】
図２Ａに示すように、各羽根片６０ａ，６０ｂが閉位置に位置する状態において、各羽根片６０ａ，６０ｂは、回動軸７２（嵌合孔６２）を基準に上方に向かい、両羽根片６０ａ，６０ｂは相互に接触する。その際の入賞装置４０の状態を閉状態という。前述したように、この閉状態において、両羽根片６０ａ，６０ｂ間（入賞装置４０）にパチンコ球が入賞するのは不可能である。
図２Ｂに示すように、各羽根片６０ａ，６０ｂが開位置に位置する状態において、各羽根片６０ａ，６０ｂは、回動軸７２（嵌合孔６２）を基準に、相互に離隔するように斜め側方に向かう（すなわち、両羽根片６０ａ，６０ｂは相互に離隔する）。その際の入賞装置４０の状態を開状態という。前述したように、この開状態において、両羽根片６０ａ，６０ｂ間（入賞装置４０）にパチンコ球が入賞することが可能である。
【００２６】
図３に示すように、各羽根片６０ａ，６０ｂの被作用部６５は、基板部材５０の開口部５４を通して、このパチンコ機の奥側に向かって延びている。
基板部材５０の奥側に回動部材（図示省略）が配設され、その回動部材は、ソレノイド（図示省略）によって、閉位置用位置（ソレノイドが非励磁状態）と開位置用位置（ソレノイドが励磁状態）との間を回動する。
各被作用部６５に対する回動部材のこの作用に基づいて、上述したように、各羽根片６０ａ，６０ｂが閉位置と開位置との間を回動変位するのである。
【００２７】
図２Ａ〜図３に示すように、基板部材５０のストッパ形成突起部５６は、基板部材５０の下縁部近傍に形成されている。ストッパ形成突起部５６は、基板部材５０の幅方向（このパチンコ機の幅方向）に延びている。ストッパ形成突起部５６の左右の両端部がストッパ５７である。
各羽根片６０ａ，６０ｂのうちの奥側部分には、当接部形成部６６が形成されている。各当接部形成部６６は、嵌合孔６０をほぼ中心としてストッパ５７の方に向かうように、ほぼ円弧状の板片状に形成されている。各当接部形成部６６のうち、ストッパ５７と対向する端部が当接部６７である。
前述したように各羽根片６０ａ，６０ｂが開位置に位置する状態（図２Ｂ）において、各羽根片６０ａ，６０ｂの当接部６７がストッパ５７に当接する。こうして、ソレノイドが励磁状態とされた際に、各羽根片６０ａ，６０ｂが所定の開位置に位置することとなるのである。
【００２８】
図３に示すように、前板部材７０の通路形成部７４は、全体としてほぼ水平な左右対称の板状をなし、前板部７１から基板部材５０の開口部５４に到っている。
通路形成部７４には、中央通路７６，左側通路７７ａ，右側通路７７ｂが形成されている。それらを総称して通路７５ということとする。
【００２９】
図２Ａ〜図３に示すように、中央通路７６（その底面）の基端部（手前側の端部）は、前板部７１の上縁部よりも若干高い位置に位置する。
中央通路７６は、その基端部から先端部（奥側の端部）に向かうにつれて徐々に下方に向かうように、水平から傾斜している。
中央通路７６の先端部は、前板部７１の上縁部よりも若干高い位置、又は、同一若しくはほぼ同一の高さにある。
【００３０】
左側通路７７ａ及び右側通路７７ｂ（その底面）の基端部は、前板部７１の上縁部と同一高さにある。
左側通路７７ａ及び右側通路７７ｂは、その基端部から先端部にかけて水平（同一高さ）、又は、ほぼ水平（ほぼ同一高さ）であって徐々に下方に向かうようにわずかに水平から傾斜している。
左側通路７７ａ及び右側通路７７ｂの先端部は、前板部７１の上縁部と同一又はほぼ同一高さにある。
【００３１】
次に、この入賞装置４０の作用及び効果について説明する。
図２Ａ及び図２Ｂに基づいて前述したように、通常は、ソレノイド（電磁石）は非励磁状態にあり、各羽根片６０ａ，６０ｂは閉位置に位置して入賞装置４０は閉状態にあり、パチンコ球は入賞することができない（図２Ａ）。
一方、所定の条件が満たされることによって、ソレノイド（電磁石）は励磁状態とされ、各羽根片６０ａ，６０ｂは開位置に変位して入賞装置４０は開状態となる。ソレノイドの励磁状態が維持されている間（例えば０．５秒の間）、入賞装置４０は開状態が維持され、その状態では、パチンコ球は入賞装置４０に入賞することが可能である（図２Ｂ）。
【００３２】
図４Ａには、入賞装置４０（開状態）に入賞したパチンコ球Ｂが、中央通路７６を転動して開口部５４に到り、遊技盤１０の裏側（奥側）に流れていく状態が示されている。
【００３３】
この場合、前述したように、中央通路７６の基端部は、前板部７１の上縁部よりも若干高い位置に位置しているため、遊技者は、少なくとも、入賞装置４０に入賞して中央通路７６上に到達した際のパチンコ球Ｂの高さ方向における全体又はほぼ全体を視認することができる。
なお、遊技者の目の高さは、通路７５（正確にはそのうちの手前側の端部のパチンコ球Ｂ）と同一の高さにあり、遊技者の視線は、通路７５（そのうちの手前側の端部）上のパチンコ球Ｂに対して水平であるとする（以下同様である）。さらに正確にいえば、中央通路７６上のパチンコ球Ｂの流れを考察する場合は、通路７５としては中央通路７６が該当し、左側通路７７ａ／右側通路７７ｂ上のパチンコ球Ｂの流れを考察する場合は、通路７５としては左側通路７７ａ／右側通路７７ｂが該当する。
また、中央通路７６は、その基端部から先端部に向かうにつれて徐々に下方に向かうように傾斜しており、その先端部は、前板部７１の上縁部よりも若干高い位置又は同一若しくはほぼ同一高さにあるため、遊技者は、入賞装置４０に入賞したパチンコ球Ｂが中央通路７６を転動して開口部５４に到るまで、そのパチンコ球Ｂの高さ方向におけるほぼ全体を視認することができる。
このように、遊技者は、入賞装置４０に入賞して中央通路７６を転動していくパチンコ球Ｂの高さ方向におけるほぼ全体を視認することができる。
【００３４】
一方、図４Ｂには、入賞装置４０（開状態）に入賞したパチンコ球Ｂが、左側通路７７ａを転動して開口部５４に到り、遊技盤１０の裏側（奥側）に流れていく状態が示されている。
【００３５】
この場合、前述したように、左側通路７７ａの基端部は、前板部７１の上縁部と同一の高さにあるため、遊技者は、少なくとも、入賞装置４０に入賞して左側通路７７ａ上に到達した際のパチンコ球Ｂの高さ方向における全体を視認することができる。
また、左側通路７７ａは、その基端部から先端部にかけて、水平（同一高さ）、又は、ほぼ水平（ほぼ同一高さ）であって徐々に下方に向かうようにわずかに傾斜しているため、遊技者は、入賞装置４０に入賞したパチンコ球Ｂが左側通路７７ａを転動して開口部５４に到るまで、そのパチンコ球Ｂの高さ方向における全体又はほぼ全体を視認することができる。
このように、遊技者は、入賞装置４０に入賞して左側通路７７ａを転動していくパチンコ球Ｂの高さ方向における全体又はほぼ全体を視認することができる。
なお、通路７５は左右対称であるため、右側通路７７ｂについても、左側通路７７ａと同様のことがいえる。
【００３６】
また、パチンコ球Ｂが入賞装置４０に入賞した当初は中央通路７６に位置し（図４Ａ）、その後に左側通路７７ａ（図４Ｂ）又は右側通路７７ｂに移行する場合もあり、その逆の場合も、まれながらあり得るが、それらの場合も、適宜、上述と同様の作用及び効果が得られる。
【００３７】
以上のように、この入賞装置４０では、パチンコ球Ｂが入賞して通路７５に到達した際において、遊技者がパチンコ球Ｂの少なくとも高さ方向のほぼ全体を視認することができるとともに、その後にそのパチンコ球Ｂが開口部５４まで通路７５上を転動していく際にも、少なくともパチンコ球Ｂの高さ方向のほぼ全体を視認することが可能である。
このように、この入賞装置４０では、開状態になった際に、入賞するパチンコ球Ｂを遊技者が十分視認することができる。
ここで、パチンコ球の入賞というのは、入賞装置としての本来的な機能であり、この入賞装置４０では、その本来的な機能について、遊技者に対して大きな興趣を与えることができるのである。
【００３８】
なお、上記のものはあくまで本発明の一実施形態にすぎず、当業者の知識に基づいて種々の変更を加えた態様で本発明を実施できることはもちろんである。
【００３９】
例えば、本発明の「通路」は、上記実施形態における中央通路７６のような構造を有するもののみから形成されていてもよい。
一方、逆に、本発明の「通路」は、上記実施形態における左側通路７７ａ又は右側通路７７ｂのような構造を有するもののみから形成されていてもよい。
【図面の簡単な説明】
【００４０】
【図１】本発明の一実施形態の入賞装置を有する弾球遊技機を示す正面図である。
【図２Ａ】本発明の一実施形態の弾球遊技機の入賞装置（閉状態）を示す図である。（ａ）は正面図であり、（ｂ）は斜め上方から見た斜視図であり、（ｃ）は斜め下方から見た斜視図である。このことは、図２Ｂにおいても同様である。
【図２Ｂ】本発明の一実施形態の弾球遊技機の入賞装置（開状態）を示す図である。
【図３】本発明の一実施形態の弾球遊技機の入賞装置を示す分解斜視図である。（ａ）は斜め前方が見た図であり、（ｂ）は斜め後方から見た図である。
【図４Ａ】本発明の一実施形態の弾球遊技機の入賞装置の作用を示す図である。パチンコ球Ｂが中央通路を転動する状態を示す。（ａ）は正面図であり、（ｂ）は斜め左側から見た斜視図であり、（ｃ）は斜め右側から見た斜視図である。このことは図４Ｂにおいても同様である。
【図４Ｂ】本発明の一実施形態の弾球遊技機の入賞装置の作用を示す図である。パチンコ球Ｂが左側通路を転動する状態を示す。
【符号の説明】
【００４１】
４０  始動入賞装置（入賞装置）
５０  基板部材
５４  開口部（連通孔）
５７  ストッパ
６０ａ，６０ｂ  羽根片
７１  前板部（前板）
７２  回動軸（支持軸）
７５  通路
７６  中央通路（通路）（通路の幅方向における一部）
７７ａ  左側通路（通路）（通路の幅方向における一部）
７７ｂ  右側通路（通路）（通路の幅方向における一部）
Ｂ  パチンコ球（遊技球）
【図１】
2008229047.tif 000003
【図２Ａ】
2008229047.tif 000004
【図２Ｂ】
2008229047.tif 000005
【図３】
2008229047.tif 000006
【図４Ａ】
2008229047.tif 000007
【図４Ｂ】
2008229047.tif 000008